(57)【要約】【課題】  壁掛け具において、構造の簡素化と取付作業の簡易化を図る上で有効な技術を提供する。【解決手段】  物品の壁掛けに用いられる壁掛け具１０であって、壁Ｗに固定可能な第１のフック１４と、壁掛け対象物Ｂに固定可能でかつ第１のフックに掛止可能な第２のフック２４を有する。第１のフックまたは第２のフックのうちのいずれか一方のフックは、他方のフックを対向する両側から挟み込むように保持する挟持部１４ｃを有する。【選択図】  図３
2005261802.tif 000002
【特許請求の範囲】
【請求項１】
物品の壁掛けに用いられる壁掛け具であって、
壁に固定可能な第１のフックと、壁掛け対象物に固定可能でかつ前記第１のフックに掛止可能な第２のフックを有し、前記第１のフックまたは前記第２のフックのうちのいずれか一方のフックは、他方のフックを対向する両側から挟み込むように保持する挟持部を有することを特徴とする壁掛け具。
【請求項２】
請求項１に記載の壁掛け具であって、
前記第１のフックは、前記第２のフックを当該第１のフックに掛止する側に、前記第２のフックに当接することで当該第２のフックの垂直方向の移動を規制する第１のストッパーを備えることを特徴とする壁掛け具。
【請求項３】
請求項１または２に記載の壁掛け具であって、
壁に固定可能であり、前記第１のフックが配置される第１のベースと、壁掛け対象物に固定可能であり、前記第２のフックが配置される第２のベースを有し、前記第１のベースに、前記第１のフックを挟んで当該第１のフックの両側に前記第２のフックの端部が当接可能な第２のストッパーが設けられているか、または前記第２のベースに、前記第２のフックを挟んで当該第２のフックの両側に前記第１のフックの端部が当接可能な第２のストッパーが設けられていることを特徴とする壁掛け具。
【請求項４】
請求項１から３のいずれか１つに記載の壁掛け具であって、
壁に固定可能であり、前記第１のフックが配置される第１のベースと、壁掛け対象物に固定可能であり、前記第２のフックが配置される第２のベースを有し、前記第１のベースには前記第１のフックが所定の間隔を置いて配置され、前記第２のベースには直交する方向それぞれに前記第２のフックが前記第１のフックの配置間隔と同じ間隔で配置され、直交する方向それぞれに前記第２のベースに設けられた第２のフックは、前記第１のフックに対し選択的に掛止可能とされていることを特徴とする壁掛け具。
【請求項５】
請求項４に記載の壁掛け具であって、
前記第１のベースは、第１のフックが配置されている方向と直交する方向の両側に、第１のフックが配置されている方向に所定ピッチで設けられた複数の取付孔を有することを特徴とする壁掛け具。
【発明の詳細な説明】
【技術分野】
【０００１】
本発明は、例えばボード状の物品を壁に掛けるときに用いられる壁掛け具に関する。
【背景技術】
【０００２】
物品の壁掛け具として、フック状の掛止金具を用いて物品を壁面に沿って吊下げ状に支持するものが知られている。フック状の掛止金具を用いて物品を壁に取り付ける壁掛け具に関する従来例としては、例えば特開２００２−３２６４９７号公報（特許文献１）がある。
上記公報には、筆記パネルを壁に取り付ける壁掛け具として、壁側にはフック片を有する上下一対の掛止金具がネジによって固定され、他方、筆記パネルの周囲には額縁が形成されるとともに、上下の額縁には上下の掛止金具のフックに掛止可能な掛止溝が形成された構成が開示されている。そして筆記パネルは、壁に固定された上下の掛止金具のフック片に上下の額縁の掛止溝を引っ掛けて取り付ける構成とされている。しかしながら、掛止金具のフック片に額縁の掛止溝を引っ掛けるだけの構成では、前後あるいは横方向（左右方向）にガタツキを伴う関係で、筆記パネルが簡単に位置ずれを引き起こしてしまうという問題がある。このため、上記公報記載の壁掛け具では、掛止金具のフック片に額縁の掛止溝を引っ掛けた状態で、更に下部の額縁に設けた固定用のネジを締め付けることによって、上下の掛止金具に対し額縁が挟持される構成とし、筆記パネルに位置ずれが生じ難いようにしている。
【０００３】
しかしながら、上述した従来の壁掛け具の場合、フックに対して掛止溝を引っ掛けて掛止する構造に加え、更に固定ネジを用いて固定する構造である。このため、壁掛け具として、多くの部品点数が必要になって構造が複雑化するとともに、取付作業も面倒であるという点で、なお改良の余地がある。
【特許文献１】特開２００２−３２６４９７号公報
【発明の開示】
【発明が解決しようとする課題】
【０００４】
本発明は、かかる点に鑑みてなされたものであり、壁掛け具において、構造の簡素化と取付作業の簡易化を図る上で有効な技術を提供することを目的とする。
【課題を解決するための手段】
【０００５】
上記課題を達成するため、特許請求の範囲の各請求項に記載の発明が構成される。
請求項１に記載の発明によれば、壁側に固定可能な第１のフックと、壁掛け対象物に固定可能でかつ第１のフックに掛止可能な第２のフックと、を備えた物品の壁掛けに用いられる壁掛け具が構成される。本発明に係る壁掛け具は、典型的には額縁や鏡等のボード状の物品を壁に取り付けるときに好適に適用されるが、ボード状の物品以外の物品に適用することを妨げるものではない。
本発明においては、第１のフックまたは第２のフックのうちのいずれか一方のフックは、他方のフックを対向する両側から挟み込むように保持する挟持部を有する構成とされる。ここで「第１のフック」および「第２のフック」は、典型的には断面が略Ｕ字状に形成され、一方のフック、好ましくは第１のフックに掛止方向の中間部に長手方向に沿った絞り部が形成された構成とされる。これにより、第１のフックと第２のフックは、掛止状態では相互間にガタツキの無い状態で掛止されるとともに、挟持部による摩擦抵抗によって相対的な位置ずれが抑えられる。すなわち、本発明によれば、フック自体がずれ止め機能を有するため、壁に取り付けられた物品を安定状態に保持することが可能となり、これによってフックによる掛止構造に加え、ガタツキを止める手段を必要としていた従来の掛止金具に比べて構造の簡素化された壁掛け具が提供される。また壁に固定された第１のフックに物品側に固定された第２のフックを引っ掛けるだけで物品を壁に簡単に取り付けることができ、物品の取付作業の簡易化が達成される。
【０００６】
（請求項２に記載の発明）
請求項２に記載の発明によれば、請求項１に記載の壁掛け具における第１のフックは、第２のフックを当該第１のフックに掛止する側に、第２のフックに当接することで当該第２のフックの垂直方向の移動を規制するストッパーを備える構成とされる。かかる構成によれば、壁に掛けられた物品の上方への移動を防止することができる。
【０００７】
（請求項３に記載の発明）
請求項３に記載の発明では、請求項１または２に記載の壁掛け具において、壁に固定可能であり、第１のフックが配置される第１のベースと、壁掛け対象物に固定可能であり、第２のフックが配置される第２のベースを有する。そして第１のベースに、第１のフックを挟んで当該第１のフックの両側に第２のフックの端部が当接可能な第１のストッパーが設けられているか、または第２のベースに、第２のフックを挟んで当該第２のフックの両側に第１のフックの端部が当接可能な第２のストッパーが設けられている構成とされる。かかる構成によれば、第２のフックの端部が第１のベースに設けられたストッパーに当接することによって、または第１のフックの端部が第２のベースに設けられたストッパーに当接することによって、壁に掛けられた物品の水平方向の移動を防止することができる。
【０００８】
（請求項４に記載の発明）
請求項４に記載の発明では、請求項１から３のいずれか１つに記載の壁掛け具において、壁に固定可能であり、第１のフックが配置される第１のベースと、壁掛け対象物に固定可能であり、第２のフックが配置される第２のベースを有する構成とされる。そして第１のベースには第１のフックが所定の間隔を置いて配置され、第２のベースには直交する方向それぞれに第２のフックが第１のフックの配置間隔と同じ間隔で配置され、直交する方向それぞれに第２のベースに設けられた第２のフックは、第１のフックに対し選択的に掛止可能とされている。本発明における「第１のベース」および「第２のベース」は、枠状に形成される態様、板状に形成される態様のいずれも好適に包含するが、製造コストの低減化あるいは壁掛け具の軽量化等を考慮すると、枠状に形成する態様がより好適である。本発明によれば、物品に固定される第２のベースに、第２のフックが直交する方向にそれぞれ第１のフックの配置間隔と同じ間隔で配置される構成としたので、物品を壁に取り付ける際に、当該物品を縦向きの状態あるいは横向きの状態に選択して取り付けることができる。物品側に固定される第２のベースは、例えば方形状に形成される。このときは、当該第２のベースに設けられる第２のフックの方向が分かり易く、第１のフックに対する掛止作業を楽に行うことができる。
【０００９】
（請求項５に記載の発明）
請求項５に記載の発明によれば、請求項４に記載の壁掛け具における第１のベースは、第１のフックが配置されている方向と直交する両側に、第１のフックが配置されている方向に所定ピッチで設けられた複数の取付孔を有する構成とされる。かかる構成によれば、第１のベースを壁に固定する際、複数の取付孔の中から壁側の梁に対応するものを選択し、当該梁にネジ等で上下部をそれぞれ固定することができる。すなわち、壁の梁に対する対応性が得られることとなり、結果として壁に対する固定強度を確保できる。
【発明の効果】
【００１０】
本発明によれば、壁掛け具において、構造の簡素化と取付作業の簡易化を図る上で有効な技術が提供されることとなった。
【発明を実施するための最良の形態】
【００１１】
以下、本発明の実施の形態につき、図面を参照しつつ、詳細に説明する。図１は本発明の実施の形態に係る壁掛け具１０を示す斜視図である。本実施の形態に係る壁掛け具１０は、図示のように、壁Ｗに固定される壁側掛止金具１１と、壁に取り付ける物品としての、例えばボードＢに固定されるボード側掛止金具２１とから構成される。壁側掛止金具１１は、縦方向（使用時における上下方向）に所定間隔を置いて対向状に配置される上側および下側の横枠１２と、横方向（使用時における左右方向）に所定間隔を置いて対向状に配置される左側および右側の縦枠１３とから方形の枠状に形成されている。なお横枠１２および縦枠１３は、それぞれ細長い平板状の鉄板によって形成されている。上記の横枠１２および縦枠１３は、本発明における「第１のベース」に対応する。
【００１２】
上側および下側の横枠１２には、それぞれフック１４が一体状に形成されている。このフック１４は、本発明における「第１のフック」に対応する。上側および下側の横枠１２には、長手方向の中間領域に下向きに所定長さで延びる幅広部が設定されており、この幅広部を上方へ折り返すことによって、開口側が上を向く断面略Ｕ字形のフック１４が形成されている。すなわち、図２あるいは図３に示すように、上側および下側のフック１４は、横枠１２から下側に向って同一面で一体状に延びる横方向に長い平板状の基板１４ａと、当該基板１４ａに対向するように折り返された折返し片（フック爪）１４ｂとから構成される。そして、折返し片１４ｂの上下方向の概ね中程には、長手方向（横方向）の全長にわたって絞り部１４ｃが設定されている。絞り部１４ｃは、基板１４ａ側に向って凹む断面略山形（Ｖ字状）に形成され、そして絞り部１４ｃの基板側頂部と基板１４ａとの間には、後述するボード側掛止金具２１のフック２４，２５の板厚よりも若干狭い間隙Ｓ（図２参照）が設定されている。なお折返し片１４ｂの先端１４ｄは、ボード側掛止金具２１のフック２４，２５を引っ掛ける際の差し込み間口を広げるべく外側（正面視で手前側）に傾斜されている。
【００１３】
また横枠１２および縦枠１３には、長手方向の中間領域に絞り加工による突条部（ビード）１５が設けられ、これによって横枠１２および縦枠１３の面剛性が高められている。また縦枠１３の長手方向における上下部には、壁Ｗに対して当該縦枠１３を取付ネジ１７によって取り付けるための複数の取付孔１６が設けられている。そして取付孔１６の１つを用いて上下の横枠１２と左右の縦枠１３が接合ネジまたはリベット１８等によって接合される。
【００１４】
また壁側掛止金具１０には、４隅に横ずれ規制用のストッパー１９が設けられている。このストッパー１９は、具体的には左右の縦枠１３の上部および下部を手前側に切起こし加工によって形成された切起こし片によって構成されている。上記のストッパー１９は、本発明の請求項３における「第２のストッパー」に対応する。
【００１５】
一方、ボード側掛止金具２１は、上側の壁側掛止金具１１の形状に対応した形状に形成されている。すなわち、縦方向（使用時における上下方向）に所定間隔を置いて対向状に配置される上側および下側の横枠２２と、横方向（使用時における左右方向）に所定間隔を置いて対向状に配置される左側および右側の縦枠２３とから方形の枠状に形成されている。横枠２２および縦枠２３は、それぞれ細長い平板状の鉄板によって形成され、それら各横枠２２および縦枠２３には、前記壁側掛止間具１１のフック１４に上方から引っ掛けるように掛止可能なフック２４，２５が一体状に形成される。なお上下のフック２４の配置間隔および左右のフック２５の配置間隔は、壁側掛止間具１１のフック１４の配置間隔にそれぞれ等しく設定される。上記のボード側掛止金具２１のフック２４，２５は、本発明における「第２のフック」に対応する。フック２４，２５は、各枠２２，２３の長手方向の中間領域に設けた幅広部を略Ｕ字状に折り返すことによって形成されている。
また横枠２２および縦枠２３には、各端部に接合用の取付孔（図示省略）が設けられており、横枠２２および縦枠２３の端部を互いに重ね合わせた状態で、当該取付孔に取付ネジ２７を通してボードＢの裏面にねじ込むことで固定可能とされる。
【００１６】
本実施の形態に係る壁掛け具１０は、上記のように構成したものであり、以下その使用態様を説明する。壁側掛止金具１１は、図４に示すように、縦枠１３に設けた取付孔１６を用いて壁Ｗの梁Ｈに対して取付ネジ１７によって固定される。このとき、本実施の形態においては、複数の取付孔１６を設けてあるため、取付孔１６の中から梁Ｈの位置（梁Ｈの間隔は一様とは限らない）に対応する取付孔１６を選択して壁側掛止金具１１を取り付けることができる。このため、壁Ｗの梁Ｈに対する取付性が向上する。
【００１７】
次に、ボード側掛止金具２１の横枠２２および縦枠２３の端部を互いに重ね合わせた状態で取付孔２６に取付ネジ２７を通してボードＢの裏面に固定する。その後、ボード側掛止金具２１のフック２４あるいは２５を壁側掛止金具１１のフック１４に対して上方から差し込んで引っ掛ける。かくして、ボードＢを壁Ｗに取り付けることができる（図３参照）。この場合、本実施の形態では、ボード側掛止金具２１には、横枠２２と縦枠２３にそれぞれフック２４，２５を同一の配置間隔で設けてあるため、ボードＢを縦長状態（図６参照）、横長状態（図７参照）のいずれにも取り付けることができる。
【００１８】
ボード側掛止金具２１のフック２４あるいはフック２５を壁側掛止金具１１のフック１４に引っ掛ける場合、ボード側掛止金具２１のフック２４あるいはフック２５を、壁側掛止金具１１のフック１４の基板１４ａと、折返し片１４ｂに設けられた絞り部１４ｃとの間の間隙Ｓを通して強制的に差し込む。このとき、壁側掛止金具１１のフック１４の先端１４ｄが外側（壁Ｗに向って手前側）に傾斜しているため、容易に差し込むことができる。ボード側掛止金具２１のフック２４あるいはフック２５は、壁側掛止金具１１の絞り部１４ｃと基板１４ａとによって前後から線接触状態または面接触状態で挟み込まれる（図３参照）。その結果、ボード側掛止金具２１のフック２４あるいはフック２５は、挟持部分の摩擦抵抗によって相対的な位置ずれが抑えられる。上記の絞り部１４ｃと、この絞り部１４ｃに対向する基板１４ａが、本発明における「挟持部」に対応する。
【００１９】
このように、本実施の形態によれば、壁側掛止金具１１のフック１４がこれに差し込まれるボード側掛止金具２１のフック２４あるいはフック２５を前後から挟持して保持する構成のため、ボード側掛止金具２１のずれを抑えることができ、結果として壁ＷにボードＢを安定状態に取り付けることができる。すなわち、本実施の形態では、壁側掛止金具１１のフック１４とボード側掛止金具２１のフック２４あるいはフック２５との掛止構造において、位置ずれの規制機能を持たせたものである。これにより、例えば固定用ネジのようなずれ止め手段を別途に設ける構造のものに比べて、部品点数が低減され、構造の簡単化が達成される。また取付作業もフック１４にフック２４，２５を差し込むだけのため容易化される。
【００２０】
なお本実施の形態では、図３に示すように、壁側掛止金具１１のフック１４にボード側掛止金具２１のフック２４あるいはフック２５が掛止された状態において、壁側掛止金具１１のフック１４の先端がボード側掛止金具２１のフック２４あるいはフック２５の底に当接する前に、ボード側掛止金具２１のフック２４あるいはフック２５の先端が壁側掛止金具１１のフック１４の底に当接するように、ボード側掛止金具２１のフック２４あるいはフック２５の長さを設定してある。これにより、ボードＢを壁Ｗに対し平行、すなわち垂直状に保持することができる。
【００２１】
また壁側掛止金具１１のフック１４にボード側掛止金具２１のフック２４あるいはフック２５が掛止された状態において、壁側掛止金具１１の横枠１２に形成された突条部１５は、当該横枠１２の面剛性を高めることができることに加え、ボード側掛止金具２１のフック２４あるいはフック２５が壁側掛止金具１１のフック１４から上方へ抜け出ようとするとき、当該ボード側掛止金具２１のフック２４あるいはフック２５の上端部に当接することで、上方への移動を規制するストッパーとして機能する。この横枠１２に形成された突条部１５は、本発明の請求項２における「第１のストッパー」に対応する。なお突条部１５の配置位置、形状等は、フック２４あるいは２５をフック１４に掛止する際の作業性と、ストッパーとしての効果を考慮して決定される。
【００２２】
また本実施の形態によれば、ボード側掛止金具２１が壁側掛止金具１１に掛止された状態では、図５に示すように、上下に位置する横枠２２のフック２４の端部（あるいは縦枠２３のフック２５の端部）が、壁側掛止金具１１に設けられたストッパー１９に対して当接可能に対向する構成のため、ボードＢに対し、たとえ前記摩擦抵抗を超えるような外力が作用し、横方向に移動した場合（二点鎖線参照）であっても、当該ボードＢの横移動を効果的に防止することができる。なお本実施の形態では、ストッパー１９を縦枠１３に切起こし加工によって形成する構成のため、縦枠１３を形成する際、ストッパー１９を同時に形成することが可能となり、製作コストの低減化に有利となる。
【００２３】
また本実施の形態においては、壁側掛止金具１１およびボード側掛止金具２１をそれぞれ枠状に形成したので、軽量化が図られるとともに、材料コストを低減できる。また壁側掛止金具１１については、横枠１２および縦枠１３に突条部１５を設定し面剛性を高めることで、ボードＢの支持強度を維持しつつ板厚の薄肉化あるいは幅の縮小化による軽量化を図ることができる。
【００２４】
なお本発明は、上述した実施の形態に限定されるものではなく、必要に応じて適宜変更することが可能である。例えば、ボード側掛止金具２１の４隅にネジを取り付け、当該ネジをその先端が壁側掛止金具１１の４隅に当接させるように締め付けることによって、両掛止金具１１，２１間に前後方向の突っ張り力を付与する構成を採用することも可能である。このような構成を採用したときは、壁側掛止金具１１に対しボード側掛止金具２１をより安定状態に保持することが可能となる。
【００２５】
また本実施の形態では、壁側掛止金具１１の縦枠１３に複数の取付孔１６を所定のピッチで設け、そのうちの１つの取付孔１６を用いて横枠１２を接合ネジ１８で結合する構成としている。そのため、接合に用いる取付孔１６を変えることによって縦枠１３に対する横枠１２の取付位置を容易に変更（調整）することができる。これに対応して、ボード側掛止金具２１の横枠２２および縦枠２３のそれぞれに長手方向に、壁側掛止金具１１の取付孔１６の配列ピッチと同一ピッチで取付孔２６を複数設けておけば、フック２４あるいはフック２５の間隔を壁側掛止金具１１のフック１４の間隔に対応して調整することが可能となる。
【００２６】
また本実施の形態では、壁側掛止金具１１およびボード側掛止金具２１を方形状に形成してあるため、フック１４，２４，２５の方向が分かり易い。このため、壁側掛止金具１１を壁Ｗに取り付ける場合、フックが水平となるように取付け易く、またボードＢを取り付けるとき、ボード側掛止金具２１のフック２４，２５を壁側掛止金具１１のフック１４に掛け易いという長所を有するものであるが、壁側掛止金具１１およびボード側掛止金具２１を方形以外の形状に形成することを妨げない。
【００２７】
また本実施例では、各枠１２，２２，２３につきフック１４，２４，２５を各１個としかつ横長に形成したが、これを各枠１２，２２，２３で、それぞれ複数にすること、あるいは上側を２個、下側を１個にすること等、適宜に変更してもよい。しかし、横長に形成したときは、掛止作業を容易に行い得るとともに、大きい保持力を得ることができる。なおここでいう「横長」とは、壁側掛止金具１１のフック１４にボード側掛止金具２１のフック２４，２５が掛止した状態において、少なくとも水平方向の幅が垂直方向の幅よりも大きいことを意味する。
【００２８】
また本実施の形態に係る壁掛け具１０は、上下２箇所のフックで掛止する構成としたが、一箇所でもよい。また壁側掛止金具１１およびボード側掛止金具２１を枠状に形成したが、平板によって形成してもよい。また壁Ｗに取り付ける物品は、ボードＢに限定されない。また壁側掛止金具１１およびボード側掛止金具２１を鉄板製としたが、鉄板以外の金属製あるいは樹脂製であっても差し支えない。
【図面の簡単な説明】
【００２９】
【図１】本実施の形態に係る壁掛け具の掛止金具を示す斜視図であり、掛止前の状態を示す。
【図２】壁掛け具の縦断面図であり、掛止前の状態を示す。
【図３】壁掛け具の縦断面図であり、掛止状態を示す。
【図４】壁に壁側掛止金具を固定した状態を示す縦断面図である。
【図５】ボードの横移動防止を模式的に示す平面図である。
【図６】ボードを縦長状態に取り付けた状態を示す正面図である。
【図７】ボードを横長状態に取り付けた状態を示す正面図である。
【符号の説明】
【００３０】
１０  壁掛け具
１１  壁側掛止金具
１２  横枠
１３  縦枠
１４  フック
１４ａ  基板
１４ｂ  折返し片
１４ｃ  絞り部
１４ｄ  先端
１５  突条部
１６  取付孔
１７  取付ネジ
１８  接合ネジ
１９  ストッパー
２１  ボード側掛止金具
２２  横枠
２３  縦枠
２４  フック
２５  フック
２７  取付ネジ
【図１】
2005261802.tif 000003
【図２】
2005261802.tif 000004
【図３】
2005261802.tif 000005
【図４】
2005261802.tif 000006
【図５】
2005261802.tif 000007
【図６】
2005261802.tif 000008
【図７】
2005261802.tif 000009